(57)【要約】【課題】ずれや振動を吸収しコンタクトの接点摺動を抑制しうるコネクタ構造の提供【解決手段】プラグコンタクト１００を保持するプラグハウジング１０が板状の接触部３３０を有するリセプタクルコンタクト３００を保持するリセプタクルハウジング３０の上面から沈むように嵌合する基板対基板コネクタ構造において、プラグコンタクト１００は、プラグハウジング１０に保持される圧入部１２０と、リセプタクルコンタクト３００の接触部３３０に接続する弾性変形可能な接触部１３０を有するコンタクト片１１０とを備え、コンタクト片１１０は間隔を設けて対面する姿勢で一対備わる。一対のコンタクト片１１０は湾曲状の連結部１３６で連結され弾性変形の方向が共通し、接触部１３０が互いに内向きに弾性変形したとき、その先端部１３３は互いに干渉することがない程度にオフセットされている。【選択図】  図１
2019050175.tif 000002
【特許請求の範囲】
【請求項１】
プラグコンタクトを保持するプラグハウジングが板状の接触部を有するリセプタクルコンタクトを保持するリセプタクルハウジングの上面から沈むように嵌合する基板対基板コネクタ構造において、
前記プラグコンタクトは、前記プラグハウジングに保持される圧入部と、前記リセプタクルコンタクトの接触部に接続する弾性変形可能な接触部を有するコンタクト片とを備え、前記コンタクト片は間隔を設けて対面する姿勢で一対備わり、前記一対のコンタクト片は前記弾性変形の方向が共通するように湾曲状の連結部で連結され、前記接触部が互いに内向きに弾性変形したとき、その先端部は互いに干渉することがない程度にオフセットされているところに特徴を有するコネクタ構造。
【請求項２】
請求項1記載の接触部の先端部は、内側に頂部がくる山形状を含むところに特徴を有するコネクタ構造。
【請求項３】
請求項1記載のプラグコンタクトは、一対のコンタクト片のうち少なくとも一方のコンタクト片の圧入部の一辺から回路基板に接続する接続部が延びているところに特徴を有するコネクタ構造。
【請求項４】
請求項1記載の連結部は、前記接触部の基端部に繋がるところに特徴を有するコネクタ構造。
【発明の詳細な説明】
【技術分野】
【０００１】
本発明は、回路基板と回路基板とを接続するコネクタ構造に関するものである。
【０００２】
この分野の技術として、特許文献１記載の技術が知られている。一方のコンタクトにフローティング部（湾曲部）を設けて、上下回路基板間のずれ、及び振動を吸収している。
【先行技術文献】
【特許文献】
【０００３】
【特許文献１】特願２０１４−１６５０６６号公報
【発明の概要】
【発明が解決しようとする課題】
【０００４】
しかし、上述した技術によれば、嵌合後の上下一対の回路基板の、ねじ止め時の位置ずれを想定したものであって、嵌合時の位置ずれ、及びそのずれ吸収に効果を奏するものではない。また、フローティング部（コンタクトの湾曲部）のずれ吸収量が少ないため、大きなずれが生じたときには、十分な吸収効果が望めるものではない。仮に、大きなずれが吸収できたとしても、大きな応力がフローティング部（コンタクトの湾曲部）に作用し、回路基板に振動が生じると、コンタクト間の接点摺動、あるいはフローティング部（コンタクトの湾曲部）の破断が生じる恐れがある。
【０００５】
本発明は、上述した問題に鑑みてなされたものであり、平行位置にある一対の回路基板間に、比較的大きな位置ずれが生じたとき、あるいは環境条件により回路基板に振動が生じたときであっても、このような、ずれや振動を吸収しコンタクトの接点摺動を抑制しうるコネクタ構造の提供を目的とする。
【課題を解決するための手段】
【０００６】
本発明のコネクタ構造は、（１）プラグコンタクトを保持するプラグハウジングが板状の接触部を有するレセプタクルコンタクトを保持するレセプタクルハウジングの上面から沈むように嵌合する基板対基板コネクタ構造において、前記プラグコンタクトは、前記プラグハウジングに保持される圧入部と、前記リセプタクルコンタクトの接触部に接続する弾性変形可能な接触部を有するコンタクト片とを備え、前記コンタクト片は間隔を設けて対面する姿勢で一対備わり、前記一対のコンタクト片は前記弾性変形の方向が共通するように、湾曲状の連結部で連結され、前記接触部が互いに内向きに弾性変形したとき、その先端部は互いに干渉することがない程度にオフセットされているところに特徴を有するものである。
【０００７】
この発明によれば、板状に広がる接触部を先端部がオフセット位置にある一対のコンタクト片で弾性挟持するので、一対の回路基板間に、比較的大きな位置ずれが生じたとき、あるいは環境条件により回路基板に振動が生じたときであっても、このようなずれや振動を吸収しコンタクトの接点摺動を抑制しうるコネクタ構造が得られる。
【０００８】
好ましくは本発明のコネクタ構造は、（２）上記（１）記載の接触部の先端部は、内側に頂部がくる山形状を含むところに特徴を有するものである。
【０００９】
この発明によれば、山形状の頂部でリセプタクルコンタクトの接触部を弾性挟持するので、強い接圧で接続されるコネクタ構造が得られる。
【００１０】
好ましくは本発明のコネクタ構造は、（３）上記（１）記載のプラグコンタクトは、一対のコンタクト片のうち少なくとも一方のコンタクト片の圧入部の一辺から回路基板に接続する接続部が延びるところに特徴を有するものである。
【００１１】
好ましくは本発明のコネクタ構造は、（４）上記（１）記載の連結部は、前記接触部の基端部に繋がるところに特徴を有するものである。
【図面の簡単な説明】
【００１２】
【図１】図１は本発明の実施形態に係るコネクタ構造のプラグコネクタと、レセプタクルコネクタとが嵌合開始位置にある状態を示す外観斜視図である。
【図２】図２は同コネクタ構造のプラグコネクタと、レセプタクルコネクタとの嵌合状態を示す外観斜視図である。
【図３】図３は同コネクタ構造に係るプラグコンタクトの外観斜視図である。
【図４】図４は同コネクタ構造に係るプラグコンタクトの平面図であって、（１）は静的状態、（２）は嵌合状態である。
【図５】図５は同コネクタ構造に係るプラグコンタクトのプラグハウジングに対する圧入状態を示す要部断面図である。
【図６】図６は同コネクタ構造に係るレセプタクルコンタクトの外観図である。
【図７】図７は同コネクタ構造に係るレセプタクルコンタクトのレセプタクルハウジングに対する圧入状態を示す、（１）は要部拡大図、（２）は透視図である。
【図８】図８は同コネクタ構造に係るプラグコンタクトと、レセプタクルコンタクトとの嵌合過程の要部断面図である。
【図９】図９は同コネクタ構造に係るプラグコンタクトと、レセプタクルコンタクトとのずれ吸収機構を示す断面図であって、（１）は幅方向の位置ずれ、（２）は幅方向の位置ずれと傾き、（３）は傾き。
【発明を実施するための形態】
【００１３】
本発明の実施形態を添付図面に基づいて説明するが、本発明の技術的範囲はこれらの実施形態によって限定されるものではなく、発明の要旨を逸脱しない範囲で実施することができる。図1は本発明の実施形態に係るコネクタ構造のプラグコネクタとレセプタクルコネクタとが嵌合開始位置にある状態を示す外観斜視図である。図2は同コネクタ構造のプラグコネクタとレセプタクルコネクタとの嵌合状態を示す外観斜視図である。図3は同コネクタ構造に係るプラグコンタクトの外観斜視図である。図4は同コネクタ構造に係るプラグコンタクトの平面図であって、（１）は静止状態、（２）は嵌合状態である。図５は同コネクタ構造に係るレセプタクルコンタクトのレセプタクルハウジングに対する圧入状態を示す要部断面図である。図６は同コネクタ構造に係るレセプタクルコンタクトの外観図である。図７は同コネクタ構造に係るレセプタクルコンタクトのレセプタクルハウジングに対する圧入状態を示す、（１）は要部拡大図、（２）は透視図である。図８は同コネクタ構造に係るプラグコンタクトとレセプタクルコンタクトとの嵌合過程の要部断面図である。図9は同コネクタ構造に係るプラグコンタクトとレセプタクルコンタクトとのずれ吸収機構を示す断面図であって、（１）は幅方向の位置ずれ、（２）は幅方向の位置ずれと傾き、（３）は傾き。
なお、説明中の指示方向は原則対象図面に示す方向定義にしたがう。
【００１４】
＜コネクタ構造概説＞
平行位置にある２枚の回路基板Ｂ１、Ｂ２を接続する、プラグコネクタ１と、リセプタクルコネクタ３と、からなるコネクタ構造が、図１、図２に示されている。プラグコネクタ１、リセプタクルコネクタ３ともに、左右側壁１３、及び２２の下面から外方向に回路基板Ｂ１、及びＢ２に接続する、コンタクト接続部１４０、及び３４０が延びている。プラグコネクタ１は、リセプタクルコネクタ３の上面からその全体を沈めるように嵌合し、
２枚の回路基板Ｂ１、及びＢ２の所定回路を接続する。
【００１５】
プラグコネクタ１は、図１に示されるように、箱状のプラグハウジング１０にプラグコンタクト１００を２列に亘り等間隔に収容する。プラグハウジング１０は、合成樹脂の射出成形により得られ、プラグコンタクト１００は、導電性の圧延金属板の塑性加工によって得られる。
【００１６】
リセプタクルコネクタ３は、図１に示されるように、二重の入れ子構造からなり、リセプタクルハウジング３０と、比較的大きな板状の接触部を有するリセプタクルコンタクト３００とを備える。リセプタクルハウジング３０は、回路基板Ｂ２に取り付くベースハウジング２０と、その内側に浮いた状態にある、フロート部２００とからなる。ともに合成樹脂の射出成形により得られる。また、リセプタクルコンタクト３００は、導電性の圧延金属板の塑性加工により得られる。
【００１７】
＜プラグハウジング＞
プラグハウジング１０は、図１に示されるように、前後方向に延びる底壁１２、この底壁１２の前後端に端壁１４、１４、左右端に側壁１３、１３を備える。底壁１２は、左右側壁１３、１３、前後端壁１４、１４で周囲が囲まれ、中央部に窪地を形成する。側壁１３は、端壁１４に比べて厚みを有し、内部にプラグコンタクト１００を収容する、収容室を備える。収容室は、左右側壁１３、１３に等間隔に長手方向に沿って備わる。端壁１４、１４は、平坦な板状である。
【００１８】
プラグハウジング１０は、図１に示されるように、窪地の中央部に底壁１２の表面から真上に延びる柱状の位置決めポスト１１を有する。位置決めポスト１１は、嵌合時、相手方コネクタ（リセプタクルコネクタ３）の位置決めガイド２５０と作用し、両コネクタ１、３の正規嵌合位置を割り出す。位置決めポスト１１と、位置決めガイド２５０とは、その機能に応じる、先端部にテーパー面を備えている。
【００１９】
位置決めポスト１１は、図１に示されるように、前後方向に板厚を有する板状で、対応する位置決めガイド２５０は、この板状の位置決めポスト１１を表裏面から挟持する一対の板片を備えた溝である。位置決めガイド２５０は、位置決めポスト１１に比べて幅方向（左右方向）の寸法が大きく、このために、正規規嵌合位置からのずれが幅方向（左右方向）に生じていても、プラグコネクタ１はリセプタクルコネクタ３に収容されうる。また、位置決めポスト、位置決めガイドは、ともに先端部にテーパー面を有するので、前後方向に位置ずれが生じていても、ずれは修正されて正規嵌合姿勢になる。すなわち、前後、或いは左右方向に相対的にずれが生じる状態でも嵌合が許容されうる。
【００２０】
プラグハウジング１０は、図１に示されるように、側壁１３の内部に狭ピッチで前後方向に沿って配置されるプラグコンタクト１００を収容し、回路基板Ｂ１と接続する接続部１４０は、底壁１２の下面で等間隔に延び、相手方コンタクト（リセプタクルコンタクト３００）と接続する図示しない接触部は、全体が側壁１３で覆われる。
【００２１】
プラグハウジング１０は、図１に示されるように、回路基板Ｂ１との接続を補強する補強金具を、ハウジングの側壁１３に備えていてもよい。これにより、プラグコンタクト１００と同時に補強金具の実装もおこなえる。
【００２２】
＜プラグコンタクト＞
プラグコンタクト１００は、図３に示されるように、一対のコンタクト片１１０、１００からなる。一対のコンタクト片１１０、１１０は、１８０度湾曲する連結部１３６で連なり、互いに内側面を相手方に向けて正対する。一対のコンタクト片１１０、１１０間に
は、間隔が設けられている。これにより、コンタクト片１１０の付勢力が強化される。
【００２３】
コンタクト片１１０は、図３に示されるように、左右方向に比べて上下方向に長く延び、一方のコンタクト片は、矩形状の圧入部１２０の上辺から上方に接触部１３０が連なる。接触部１３０の下端側縁からは、一対のコンタクト片１１０、１１０を繋ぐように連結部１３６が備わる。また圧入部１２０の下辺からは、途中外方向へ屈曲する姿勢で接続部１４０が延びている。
【００２４】
一方のコンタクト片１１０は、図３に示されるように、圧入部１２０、接触部１３０を、略同一平面上に備え、他方のコンタクト片１１０は、これと平行して延びる接触部１３０を備える。双方の接触部１３０、１３０は、図３に示されるように、山形に屈曲する先端部１３３を形成し、山形の頂部に接点１３５を備えている。嵌合時、接点１３５は、相手方コンタクト（リセプタクルコンタクト３００）に接続し、付勢力を作用させる。
【００２５】
接触部１３０は、図３に示されるように、基端部から先端部１３３にいくにしたがって幅寸法は段階的に狭くなる。基端部は、略圧入部と同じ幅寸法を有し、先端部１３３はその１／４程度の寸法まで減少する。接触部１３０は、基端部を支点にして弾性変形し、嵌合時、相手方コンタクト３００に付勢力を与える。
【００２６】
接触部１３０の先端部１３３は、図３に示されるように、互いに対面する内側に山形の頂部を備え、対面姿勢で衝突を避けるため、互いに幅寸法分左右方向にずらした位置に配置（千鳥配置）されている。これにより、山形は比較的大きな角度で前方へ張り出し、その頂部は相手方頂部と衝突するほどの勢いではあるが、先端部１３３は互いにオフセット位置にあるため、静的状態、或いは弾性変形状態ともに、互いに干渉は生じない。
【００２７】
すなわち、一対のコンタクト片１１０、１１０は、図４に示されるように、接触部１３０は、略全体が互いに鏡面対称に写る形状で、先端部１３３が互いに干渉を避ける位置にあるので、弾性変形方向と直交する方向から静的状態のコンタクト１００を見たとき、先端部１３３は、互いに重なり合う、いわゆるオーバーラップの位置にある。
【００２８】
一対のコンタクト片１１０、１１０からなるプラグコンタクト１００は、図４の（１）に示されるように、先端部１３３は、静的状態でオーバーラップ姿勢にあり、嵌合時、相手方コンタクト３００が一対の先端部１３３、１３３に挟持されたとき、一対の先端部１３３、１３３の接点１３５、１３５は、図４の（２）に示されるように、相手方コンタクト３００の厚み分だけ離間した状態になる。一般的に弾性片の付勢力は変形量に比例するので、オーバーラップ状態から相手方コンタクトを挟持する場合は、オーバーラップ状態のない場合に比べて、大きな付勢力が得られる。
【００２９】
このように、オーバーラップ姿勢をとることにより、薄い板厚の材料が使用でき、幅寸法も小型化が可能になる。また、これにより装置の小型化も望める。さらに、相手方コンタクト３００の挟持状態でのコンタクト幅寸法の最小化も図られるので、端子配列の狭ピッチ化にも寄与する。
【００３０】
＜プラグ取り付け＞
プラグコンタクト１００は、図５に示されるように、プラグハウジング１０の収容室１８に収容される。収容室１８は、プラグハウジング１０の底壁１２の左右端部から左右側壁１３にかけて、内部に形成されている。収容室１８は、プラグコンタクト１００の圧入部１２０を係止するための被圧入部１９、１９を下寄りに備え、弾性変形可能な接触部１３０を収容する部分を上寄りに備えている。
【００３１】
側壁１３は、図５に示されるように、上下方向にスリット１７が刻まれ、柱状の保護部１６が前後方向に等間隔で形成されている。隣接する一対の保護部１６、１６の内部に、一対のコンタクト片１１０、１１０が収容され、嵌合時、スリット１７を通して挿入される図示しない相手方コンタクトと接続する。すなわち、隣接する一対の保護部１６の一方には、一方のコンタクト片１１０が収容され、他方の保護部１６には、他方のコンタクト片１１０が収容される。
【００３２】
プラグコンタクト１００は、図５に示されるように、プラグハウジング１０の下面から収容室１８に圧入され、圧入終了位置で圧入部１２０は被圧入部１９、１９に係止する。この位置で、接触部１３０は保護部１６の内部にある。このとき、一対のコンタクト片１１０、１１０は一体的に圧入され、一つの収容室１８に収容される。接触部１３０は、収容室１８内で内壁に干渉することなく、所定範囲内で弾性変形可能である。一対の接触部１３０、１３０は、スリット１７で隔たれた一対の保護部１６、１６に各片が収容される。スリット１７は、概ね接触部１３０の全長を満たす程度の深さを有し、嵌合時、図示しない相手方コンタクトは、概ねスリット１７の底部近くまで挿入される。
【００３３】
接触部１３０は、図５に示されるように、保護部１６で全体が覆われるので、不用意な接触による変形破損から免れる。また、前後方向に等間隔で配置されたプラグコンタクト１００は、隣接ずるコンタクト間も保護部１６で守られ、互いに干渉、接触は生じない。
【００３４】
スリット１７は、図５に示されるように、一対のコンタクト片１１０、１１０を真二つに分ける位置に刻まれ、スリット１７上にプラグコンタクト先端部１３３のオーバーラップ構造が位置している。これにより、スリット１７入り口を通過した図示しない相手方コンタクトは、スムーズに先端部１３３、１３３の誘いに誘導され、嵌合終了位置まで挿入される。
【００３５】
オーバーラップ位置の先端部１３３は、嵌合時、図4に示されるように、相手方コンタクト（リセプタクルコンタクト３００）に対して互いに挟持する向きに付勢力を作用させ、接点１３５で強い電気的機械的接続を得る。このとき、オフセット位置にある一対の接点１３５、１３５により、相手方コンタクト３００との間で回転モーメントが生じるが、等間隔で複数列に亘り配置されているので、互いに回転モーメントが打ち消され、コネクタ構造は全体的に安定的である。
【００３６】
＜リセプタクルハウジング＞
リセプタクルハウジング３０は、図１に示されるように、ベースハウジング２０と、フロート部２００とからなる入れ子構造で、フロート部２００は、リセプタクルコンタクト３００を介して繋がる、いわゆるフローティング構造である。フロート部２００は、ベースハウジング２０の中で前後、左右、及び上下方向に変位可能に緩やかに保持されている。また、左右方向を軸芯とする回転変位、或いは前後方向を軸芯とする回転変位も許容されている。
【００３７】
ベースハウジング２０、フロート部２００ともに非導電性の合成樹脂からなる射出成形品であり、ベースコンタクトは導電性金属から塑性加工で得られる。
【００３８】
ベースハウジング２０は、図１に示されるように、左右一対の側壁２２、２２と、この側壁２２を繋ぐ一対の端壁２１、２１とを備え、内側にフロート部２００を収容するための収容空間２４を有している。側壁２２は、基端部でコンタクトを保持するために必要な厚みを有し、ここより上方は比較的薄い平坦な板壁である。側壁２２上面も比較的薄い平坦な板壁で覆われ、前後方向に沿ってスリットが形成されている。スリットを通して内部に収容されているリセプタクルコンタクト３００の配列状況が観察できる。
【００３９】
端壁２１は、図１に示されるように、上方に開いたコの字状で両側壁２２、２２を平行位置に繋げる。端面は、端壁２１以外の部分は開口されている。また、ベースハウジング２０の下面は、概ね開口され、上面はフロート部２００の挿入口で全面が開口されている。
【００４０】
収容空間２４は、図１に示されるように、平面視矩形状の窪地で、ここにフロート部２００の全体が沈むように嵌り込む。収容空間２４は、フロート部２００の外形寸法に比べて、上下、及び左右方向ともに大きく、且つベースハウジング２０の端面は開口されているので、収容空間２４に収容されたフロート部２００は、前後、左右、及び上下方向に変位可能である、また、左右方向、或いは前後方向を軸芯にして回転変位も可能である。
【００４１】
フロート部２００は、図１、図7に示されるように、前後方向に延びる箱体で、板壁状の左右側壁２２０、２２０、同じく板壁状の前後端壁２３０、２３０を備え、左右方向中央には、前後方向に延びる縦壁２６０を備え、前後方向中央には、左右方向に延びる横壁２７０を備える。縦壁２６０は、前後端で端壁２３０に繋がり、横壁２７０は、左右端で側壁２２０に繋がる。
【００４２】
側壁２２０内面、縦壁２６０側面には、図7に示されるように、リセプタクルコンタクト３００の接触部３３０を保持するための保持溝２８０、２８０が備わる。縦壁２６０側面には、フロート圧入部３２２を圧入するための被圧入部２９０が備わる。側壁２２０と縦壁２６０とは、横桟２１０で繋がり強度、剛性が確保されている。
【００４３】
＜リセプタクルコンタクト＞
リセプタクルコンタクト３００は、図６に示されるように、細く長くＳ字状にカーブする保持部３２０、保持部３２０の右端に連なる接続部３４０、及び保持部３２０の左端に連なる接触部３３０からなる。
【００４４】
保持部３２０は、図６に示されるように、比較的小さな湾曲部と、比較的大きな湾曲部とが連続する、略Ｓ字状である。小さな湾曲部の端部には、ベースハウジングに取り付くベース圧入部３２１が備わり、大きな湾曲部の端部には、フロート部に取り付くフロート圧入部３２２が備わる。ベース圧入部３２１と、フロート圧入部３２２とは、保持部３２０の最も離れた両端部に位置するので、その間は実質的に長い距離が確保されている。図示しない回路基板に伝わる振動は、長い距離が確保されている、このＳ字部分に吸収されるので、コネクタ構造全体として良好な振動吸収効果が得られる。また、両圧入部３２１、３２２ともにその前後に比べて幅寸法が若干大きくとられ圧入保持されやすい形状を備えている。
【００４５】
保持部３２０の端部に連なる接続部３４０は、図６に示されるように、９０度外向きに屈曲する。接続部３４０は、その下面で図示しない回路基板の所定ランドに半田接続される。図示しない回路基板の振動は接続部３４０を通して伝わるが、Ｓ字部分で振動は吸収されるので、コンタクトの接点部分の摺動が抑制されたコネクタ構造が得られる。
【００４６】
接触部３３０は、図示しない相手方コンタクトに接続する部分であって、図６に示されるように、上下、及び左右方向に広がる板状である。
【００４７】
接触部３３０は、図7に示されるように、フロート部２００に若干の間隔を設けて等間隔に並ぶ。
【００４８】
＜リセ取り付け＞
リセプタクルコンタクト３００は、図７に示されるように、ベースハウジング２０と、フロート部２００との双方に架けて組み付けられる。フロート部２００は、接触部３３０全体を保持するとともに、保持部３２０の一部、フロート圧入部３２２を保持し、一方ベースハウジング２０は、保持部３２０の一部、ベース圧入部３２１を保持する。Ｓ字状に延びる保持部３２０は、フロート圧入部３２２と、ベース圧入部３２１との間で、ベースハウジング２０、及びフロート部２００のどちらにも干渉することはなく、許容範囲内で、上下、左右、及び前後方向に変位可能である。これにより、ベースハウジング２０に対するフロート部２００のフローティング構造が得られる。
【００４９】
リセプタクルコンタクト３００は、図７に示されるように、リセプタクルハウジング３０の下面から圧入される。
【００５０】
リセプタクルコンタクト３００の接触部３３０は、図７に示されるように、フロート部２００に下面から組み付けられる。保持部３２０のフロート圧入部３２２は、縦壁２６０の側面に形成された溝状の被圧入部２９０に圧入され、圧入と同時に、接触部３３０は両側縁を側壁２２０内面、及び縦壁２６０側面の凹状の保持溝２８０、２８０に入れた状態で保持される。圧入終了位置まで圧入されたとき、接触部３３０はフロート部２００の正規組み付け位置に組み付けられる。
【００５１】
リセプタクルコンタクト３００の接触部３３０がすべて組み付けられた状態のフロート部２００は、図7に示されるように、ベースハウジング２０に下面から組み付けられる。保持部３２０のベース圧入部３２１は、ベースハウジング２０の側壁２２下面に形成されたスリット状の被圧入部２３に圧入され、圧入終了位置まで圧入されたとき、リセプタクルコンタクト３００は、正規圧入位置にあり、同時にフロート部２００は正規組み付け位置にある。
【００５２】
フロート部２００は、図１、図７に示されるように、収容空間２４に組み付けられたとき、Ｓ字状に延びる保持部３２０でベースハウジング２０から浮いた状態に保持される。フロート部２００は、両側壁２２０、２２０にリセプタクルコンタクト３００を複数列配置するので、ベースハウジング２０の中央の収容空間２４で浮いた状態のフロート部２００が構成される。
【００５３】
＜嵌合＞
プラグコネクタ１と、リセプタクルコネクタ３との嵌合は、図８に示されるように、上面から水平姿勢でおこなわれる。プラグハウジング１０の位置決めポスト１１をリセプタクルハウジング３０の位置決めガイド２５０の位置に合わせる。この位置合わせの後、プラグコンタクト１００は、対応するリセプタクルコンタクト３００に嵌合する位置にある。リセプタクルコンタクト３００の接触部３３０は、図8に示されるように、図示しないスリットを通してプラグコンタクト１００の図示しない接触部に当接し、図示しない接触部の一対の先端部は間口を広げ、相手方接触部３３０を挟持する姿勢を準備する。
【００５４】
長手方向、幅方向の初期の嵌め込みをおこない、図8に示されるように、水平姿勢を保った状態で嵌合終了位置まで挿入する。押し切り位置で嵌合終了姿勢である。この姿勢で、プラグコネクタ１は、リセプタクルコネクタ３の上面からその全体を沈めるように嵌合し、２枚の図示しない回路基板間Ｂ１、及びＢ２の所定回路を接続する。リセプタクルコンタクト３００と、プラグコンタクト１００とは、嵌合終了位置で接続する。
【００５５】
＜効果、ずれ対応＞
プラグ回路基板Ｂ１がリセプタクル回路基板Ｂ２に対して傾いている場合、図９に示されるように、所定の傾きの範囲内では傾いたままの姿勢でプラグコネクタ１と、リセプタ
クルコネクタ３とは嵌合可能である。
【００５６】
板状に広がるリセプタクルコンタクト３００の接触部３３０に対して、接点で接続するプラグコンタクト１００の接触部１３０は比較的小さく、正規に接続しうる範囲は中心点から同心円上に広がりを持つ。また、リセプタクルハウジング３０はフローティング構造を備えるので、回路基板Ｂ１、Ｂ２間の相対的な傾きは、比較的大きな範囲で許容され、プラグコネクタ１と、リセプタクルコネクタ３とは嵌合可能である。
【００５７】
プラグ回路基板Ｂ１がリセプタクル回路基板Ｂ２に対し左右方向（幅方向）にずれている場合、図９に示されるように、所定のずれの範囲内では、ずれたままの姿勢でプラグコネクタ１と、リセプタクルコネクタ３とは嵌合可能である。
【００５８】
リセプタクルコンタクト３００の接触部３３０に対するプラグコンタクト１００の接触部１３０は、正規接続範囲が左右方向（幅方向）に比較的大きい範囲を有しているので、相対的なずれを許容したまま嵌合可能である。
【００５９】
位置ずれと傾きが重畳するときでも、プラグコネクタ１と、リセプタクルコネクタ３とは、図９に示されるように、嵌合可能である。リセプタクルハウジング３０のフローティング構造は、傾きに対して追従し、複雑な変位に対応可能である。
【００６０】
＜効果、その他＞
１、回路基板Ｂ２の振動は、接続部３４０を通して伝わるが、Ｓ字部分で振動は吸収されるので、コンタクトの接点部分の摺動が抑制されたコネクタ構造が得られる。
２、プラグコンタクト１００のオーバーラップ姿勢により、薄い板厚の材料が使用でき、幅寸法も小型化が可能になる。これにより、装置の小型化か望める。
３、相手方コンタクト（リセプタクルコンタクト３００）の挟持状態でのコンタクト（プラグコンタクト１００）幅寸法の最小化も図られるので、端子配列の狭ピッチ化も望める。
【００６１】
本発明は、本実施形態に限定されるものではなく、発明の要旨を逸脱しない範囲で、発明構成要素の材料、構造、大きさ、形状、物性、特性等は種々条件に応じて変更が許容されうる。
【符号の説明】
【００６２】
１        プラグコネクタ
１０      プラグハウジング
１１      位置決めポスト
１２      底壁
１３      側壁
１４      端壁
１６      保護部
１７      スリット
１８      収容室
１９      被圧入部
１００    プラグコンタクト
１１０    コンタクト片
１２０    圧入部
１３０    接触部
１３３    先端部
１３５    接点
１３６    連結部
１４０    接続部
３        リセプタクルコネクタ
３０      リセプタクルハウジング
２０      ベースハウジング
２１      端壁
２２      側壁
２３      被圧入部
２４      収容空間
２００    フロート部
２１０    横桟
２２０    側壁
２３０    端壁
２４０    収容部
２５０    位置決めガイド
２６０    縦壁
２７０    横壁
２８０    保持溝
２９０    被圧入部
３００    リセプタクルコンタクト
３２０    保持部
３２１    ベース圧入部
３２２    フロート圧入部
３３０    接触部
３４０    接続部
Ｂ１      プラグコネクタ回路基板    
Ｂ２      リセプタクルコネクタ回路基板
【図１】
2019050175.tif 000003
【図２】
2019050175.tif 000004
【図３】
2019050175.tif 000005
【図４】
2019050175.tif 000006
【図５】
2019050175.tif 000007
【図６】
2019050175.tif 000008
【図７】
2019050175.tif 000009
【図８】
2019050175.tif 000010
【図９】
2019050175.tif 000011